(57)【要約】  本発明は、管理ノード（２２０）から副搬送波周波数(２９０)を利用してカー・ラジオ(２９５)と他の遠隔装置に送出される画像／音声キャンペーンを作成するシステム(２００)と方法を含む。前記画像／音声キャンペーンを生成するステップには、非特定の放送情報の項目の少なくとも１つ(株式市況２３０など)と 特定の放送情報（２１５）の項目とをマッチングさせるステップが含まれる。
2006502606.tif 000002
【特許請求の範囲】
【請求項１】
画像／音声キャンペーンを作成して電波受信機を有する装置に送出する方法であって、
管理ノードが複数のラジオ放送局から特定の放送情報を受信するステップと、
前記管理ノードが非特定の放送情報を受信するステップと、
前記管理ノードが、少なくとも部分的に、非特定の放送情報の項目と特定の放送情報の項目とをマッチングさせることによって前記画像／音声キャンペーンを作成するステップと、
前記画像／音声キャンペーンが電波を利用して前記装置に送出されるステップと
を含むことを特徴とする方法。
【請求項２】
前記特定の放送情報が歌の題名とアーティストの名前を含むことを特徴とする請求項１記載の方法。
【請求項３】
前記非特定の放送情報が該アーティストによるコンサートの開催日付を含むことを特徴とする請求項２記載の方法。
【請求項４】
前記特定の放送情報が経済セグメントを含むことを特徴とする請求項１記載の方法。
【請求項５】
前記非特定の放送情報が株式市況を含むことを特徴とする請求項４記載の方法。
【請求項６】
前記マッチングさせるステップが自動的に実行されることを特徴とする請求項１記載の方法。
【請求項７】
前記画像／音声キャンペーンが、前記特定の放送情報と前記非特定の放送情報との少なくとも１つによって動機づけられた広告を含むことを特徴とする請求項１記載の方法。
【請求項８】
前記画像／音声キャンペーンがさらにグラフィックスを含むことを特徴とする請求項１記載の方法。
【請求項９】
前記画像／音声キャンペーンを複数のＲＦ送信機に送出するステップをさらに含むことを特徴とする請求項１記載の方法。
【請求項１０】
前記画像／音声キャンペーンを送出するステップが特定の車両を対象とするステップをさらに含むことを特徴とする請求項１記載の方法。
【請求項１１】
前記画像／音声キャンペーンの少なくとも一部が道路交通情報を含み、また該道路交通情報がナビゲーション・システムに送られることを特徴とする請求項１記載の方法。
【請求項１２】
永久的な記憶媒体に前記画像／音声キャンペーンの少なくとも一部を保存するステップをさらに含むことを特徴とする請求項１記載の方法。
【請求項１３】
前記装置がテレマティックス機器を含むことを特徴とする請求項１記載の方法。
【請求項１４】
前記装置がＲＤＳ機能を有する受信機を含むことを特徴とする請求項１記載の方法。
【請求項１５】
前記装置がＲＢＤＳ機能を有する受信機を含むことを特徴とする請求項１記載の方法。
【請求項１６】
前記装置がＤＡＲＣ機能を有する受信機を含むことを特徴とする請求項１記載の方法。
【請求項１７】
前記電波がＦＭ副搬送波帯域の周波数を有することを特徴とする請求項１記載の方法。
【請求項１８】
前記装置に前記画像／音声キャンペーンの少なくとも一部を表示するステップをさらに含むことを特徴とする請求項１記載の方法。
【請求項１９】
前記表示するステップが前記画像／音声キャンペーンの前記一部をスクロールすることを特徴とする請求項１８記載の方法。
【請求項２０】
画像／音声キャンペーンを作成し、電波受信機を有する装置に送出するシステムは、
管理ノードを含み、前記管理ノードは、
複数のラジオ放送局から特定の放送情報を受信し、
前記特定の放送情報および非特定の放送情報の１つの機能として前記画像／音声キャンペーンを自動的に作成して、
副搬送波周波数を有する電波を使用する前記装置に前記画像／音声キャンペーンを送出するようにプログラムされている
ことを特徴とするシステム。
【請求項２１】
前記特定の放送情報が、前記ラジオ放送局の信号到達範囲に関連する地理的なフットプリント（放送信号の直接受信可能区域）を含むことを特徴とする請求項２０記載のシステム。
【請求項２２】
前記特定の放送情報が利用可能な帯域を含むことを特徴とする請求項２０記載のシステム。
【請求項２３】
前記非特定の放送情報が広告を含むことを特徴とする請求項２０記載のシステム。
【請求項２４】
画像／音声キャンペーンを遠隔装置から要求する情報利用ユーザの視野内に表示領域を有する遠隔装置と、
特定の放送情報に対する要求に対応する複数のラジオ放送局と、
特定の放送情報の項目、および非特定の放送情報の項目の内少なくとも１つに基づいて、副搬送波周波数を利用して遠隔装置に放送される画像／音声キャンペーンに対する要求に対応する管理ノードと、
を含むことを特徴とするシステム。
【請求項２５】
前記ユーザが認識ステップの一環として画像／音声キャンペーンを要求することを特徴とする請求項２４記載のシステム。
【請求項２６】
前記認識ステップがＲＤＳ機能を有効にする決定を含むことを特徴とする請求項２５記載のシステム。
【請求項２７】
前記ユーザが、前記表示領域に触れることによって前記画像／音声キャンペーンを要求することを特徴とする請求項２４記載のシステム。
【請求項２８】
前記特定の放送情報が前記副搬送波周波数を含むことを特徴とする請求項２４記載のシステム。
【発明の詳細な説明】
【技術分野】
【０００１】
本発明は無線周波通信に関する。
【背景技術】
【０００２】
無線信号によるデータ伝送は、信号の到達範囲内に位置する各種装置への効果的な通信方法である。データ（内容を含む）の広告主または他の供給者は、無線周波搬送波の種類（例えば、周波数変調方式副搬送波、振幅変調方式副搬送波、携帯電話方式）、放送局（例えば、米国南カリフォルニアのラジオ放送局ＫＩＩＳ  ＦＭ)、および／または対象となる視聴者の地理的な位置に基づいて、データが放送されることになる周波数（例えば、ＲＢＤＳ（Ｒａｄｉｏ  Ｂｒｏａｄｃａｓｔｉｎｇ  Ｄａｔａ  Ｓｅｒｖｉｃｅ／ラジオ放送・データサービス）の１０２．７ＭＨｚ（副搬送波 ５７ｋＨｚ））を事前に選択することがある。その特定の周波数を選択する根拠は、対象となる視聴者の間でのその周波数の人気、そのスペクトル可用度、信号を受信することになるその種類または装置であり、より重要なことは、その信号が対象となる視聴者をカバーする（すなわち、視聴者に達する)かどうかである。
【０００３】
対象となる視聴者をカバーすることが不可欠であると考えられが、ＲＦ通信（無線周波通信）の多くのアプリケーションは、比較的狭い地理的な領域内に存在する視聴者を対象とすることが多いので、カバーする範囲が問題とならないことがしばしばである。例えば、事前に選択された周波数によって、音楽、またはニュースをすべての領域のオフィスビルに放送するのが普通である。周波数の事前選択や、受信機のその周波数への同調作業は比較的簡単な処理である。比較的狭い領域内でのＲＦ通信の別の例は、事前に選択された周波数によって放送される信号を受信するよう設定される無線操縦自動車である。さらに別の例は、Ｌｏｗｅほかによる米国特許第６２９８２１８号（２００１年１０月出願）に開示されている。米国特許第６２９８２１８号の対象は、伝送装置から０．６ｍ〜０．９ｍ程度（２フィート〜３フィート）内にいる視聴者である。このような環境としては、ユーザ装置が送信機を有する特定のジム設備との近さによって異なる周波数で異なる放送内容を受信するアスレチック・クラブが良い例である。さらに、比較的狭い領域にいる視聴者を対象とするそれらのアプリケーションは、周波数と放送局を事前選択する方法にうまく適合するのが通常である。カバー範囲は１つの論点となるが、対象となる視聴者が１つ以上の周波数、放送局および／または帯域幅を含む領域に広がっているとき複雑化する。複雑になる原因の一部は、対象となるすべての視聴者をカバーするために多数の、恐らく数百、または数千の周波数と放送局を事前に選択しなければならないからである。したがって、広い範囲に広がる視聴者を対象とするときは、周波数の事前選択は、極端にやっかいな問題となる。
【０００４】
Ｍａｒｔｉｎｅｚによる米国特許第４５１７５６２号（１９８５年５月出願）には、いくつかの放送局を同時に使う必要性が開示されている。しかしながら、米国特許第４５１７５６２号は、広範な領域にわたる通信のスケジューリングおよび調整の困難さに関連する問題を依然として解決していない、または認識さえしていない。これらの問題は、利用可能なＲＦスペクトルと、恐らくは、データ供給者とデータ受信者との間の距離とに関する競争から一層悪化している。
【０００５】
無線信号を使用して比較的広い領域にわたって広がっていることがある装置と通信することに役立つシステムと方法が必要とされている。
【０００６】
本出願は、特許文献１と２の利益を主張し、それらの特許出願の開示内容は本明細書中において参考として援用する。
【特許文献１】米国暫定特許出願６０／３５１９３５
【特許文献２】ＰＣＴ国際特許出願ＰＣＴ／ＵＳ０２／０４７６９
【発明の開示】
【発明が解決しようとする課題】
【０００７】
本発明は、画像／音声の無線周波キャンペーンを作成し、送出するシステムと方法を含む。
【課題を解決するための手段】
【０００８】
管理ノードは、特定の放送情報と非特定の放送情報を受信し、管理ノードは、好ましくは副搬送波周波数を利用して遠隔装置に送出される画像／音声キャンペーン作成の一環として非特定の放送情報の少なくとも１つの項目と、特定の放送情報の1つの項目とをマッチングさせる。
【０００９】
別の態様では、画像／音声キャンペーンを作成し電波受信機を有する装置に送出するシステムが含まれ、管理ノードが、複数のラジオ放送局から特定の放送情報を受信し、特定の放送情報および非特定の放送情報の１つの機能として画像／音声キャンペーンを自動的に作成して、副搬送波周波数を有する電波を使用する装置に画像／音声キャンペーンを送出するようにプログラムされている。
【００１０】
さらに別の態様では、画像／音声キャンペーンを遠隔装置から要求する情報利用ユーザの視野内に表示領域を有する遠隔装置を包含するシステムが含まれる。特定の放送情報の項目、および非特定の放送情報の項目のいずれか１つの項目、または両項目に基づいて、複数のラジオ放送局は、特定の放送情報に対する要求に対応し、管理ノードは、画像／音声キャンペーンに対する要求に対応する。その画像／音声キャンペーンは、副搬送波周波数を利用して遠隔装置に放送される。
【００１１】
理解すべきは、本発明の主題内容が、画像キャンペーンをカー・ステレオシステムに供給するのに特に役に立つことである。
【００１２】
本発明の様々な目的、特徴、態様、および利点は、同様の参照符号が同様の構成部品を表す添付の図面とともに、以下に詳細に記述される本発明の好ましい実施形態によってより明らかにされるであろう。
【発明を実施するための最良の形態】
【００１３】
まず図１を参照すると、従来技術のシステム１００は、放送局１１０、様々な種類の情報１２０〜１６０、ラジオ１７０を含む。ラジオ放送局は、株式市況１２０、ヘッドライン・ニュース１３０、道路交通情報１４０、スポーツ試合得点情報１５０、天気情報１６０といった表現形式で画像情報をラジオ１７０に送出することが知られている。
【００１４】
図２において、一般に、システム２００は、特定の放送情報２１５を管理ノード２２０に送出する複数のラジオ放送局２１０を含む。また、管理ノードは、株式市況２３０、ヘッドライン・ニュース２４０、道路交通情報２５０、広告２６０、スポーツ試合得点情報２７０、天気情報２８０などの非特定の放送情報を受信することがある。
【００１５】
特定、および非特定の放送情報は、ＲＦ送信機２９０に送出され、続いてカー・ラジオや移動式テレマティックス装置などの機器２９５に放送される画像キャンペーン(図示せず)の一部である。
【００１６】
本明細書の定義においては、画像／音声キャンペーンは、人間の目が光として（視覚的に）感知できる、または人間の耳が音として検知できる情報(すなわち、データ)を含む。画像／音声キャンペーンは、電子的に記憶されているグラフィックス、音声、テキスト、シンボル、絵、およびイメージを含むことがある。したがって、 画像／音声情報は、一時的に光として、または音として感知されにくいことがある。したがって、電波上を伝達されるデータが現状では目または耳で識別できないものであっても、そのデータは画像／音声キャンペーンの一部であることがある。画像／音声キャンペーンは、内容データと、送出時間、放送周波数、ＲＦ送信機位置などのスケジューリングに関連するデータを通常含む。さらに、画像／音声キャンペーンは、ＲＤＳ（Ｒａｄｉｏ  Ｄａｔａ  Ｓｅｒｖｉｃｅ／ラジオ・データサービス）、 ＲＢＤＳ 、およびＤＡＲＣ（Ｄａｔａ  Ｒａｄｉｏ  Ｃｈａｎｎｅｌ／データラジオチャネル）などの既知の技術に準拠するようフォーマットされることがあり、その結果、画像キャンペーンは、以下のフィールドに対応するデータを含むことがある。それらのフィールドは、プログラム識別（ＰＩ）名、プログラム・サービス（ＰＳ）名、自動周波数スイッチ（ＡＦ）リスト、トラフィック・プログラム（ＴＰ）識別名、トラフィック通知（ＴＡ）信号、プログラム・タイプ名（ＰＴＹＮ）、ラジオ・テキスト（ＲＴ）、トラフィック・メッセージ・チャネル（ＴＭＣ）、およびプログラム・タイプ（ＰＴＹ）である。画像／音声キャンペーンは、特定および非特定の放送情報の少なくとも１つの項目を含むことがあるが、強調されるべきは、それが要求事項ではないことである。このようにして、画像／音声キャンペーンの主題が、いかなる特定の放送情報も含まない広告であることがある。
【００１７】
一般に、ラジオ放送局２１０は、電波によって情報を一般的なラジオ、および他の装置に送信する事業主体(例えば、ＫＩＩＳ  ＦＭ、米国ロスアンジェルスのラジオ放送局ＫＢｌＧ、米国ニューヨークのラジオ放送局ＷＮＥＷなど)である。しかしながら、ラジオ放送局の概念については、ラジオ放送局が特定の放送情報２１５を管理ノード２２０に送ることができるのであれば、ほかに何ら制限はないということを理解すべきである。
【００１８】
特定の放送情報２１５は、電波情報の放送に関連する情報である。例えば、特定の放送情報は、プレイ・リスト（例えば、歌の名前および内容、ならびに歌が演奏されるであろう合算回数および日付）、プログラム情報（例えば、プログラム、セグメント、またはスポットの名前または内容、ならびに放送の合算回と日付）、利用可能なスペクトル（例えば、利用可能な画像キャンペーンの送出頻度）、広告タイム・スロット、広告内容、ラジオ放送局の送信機の物理的な位置、および、ラジオ放送局の放送受信可能範囲を含む。好ましくは、特定の放送情報２１５は、インターネットを経由して管理ノード２２０に送られるが、米国メールなどの非電子モードを含む他のパスおよび転送モードも適切であることがある。
【００１９】
非特定の放送情報２３０〜２８０は、管理ノードが受信した、特定の放送情報ではない情報として否定的に定義される。非特定の放送情報は、ソース(図示せず)と管理ノード２２０との間の通信の結果、システムに入ることが好都合である。そして、この通信は、多分ディジタルデータのインターネット上での非同期通信である。非特定の放送情報の多くは、ＡＰ、ＵＰＩなどの通信社から供給されるが、しかしながら、非特定の放送情報のソースは、発明全体の概念を制限するものではないと考えられる。
【００２０】
一般に、管理ノード２２０は、好ましくは、ウエブ基盤（すなわち、インターネットと結合される）であり、集中型配置されるが、分散配置されることもある複数のサーバを含む。ＲＡＩＤ（Ｒｅｄｕｎｄａｎｔ  Ａｒｒａｙ  ｏｆ  Ｉｎｄｅｐｅｎｄｅｎｔ  ［Ｉｎｅｘｐｅｎｓｉｖｅ］  Ｄｉｓｋｓ）（ディスク・アレー装置）ドライブを含むサーバは、地理的に分散配置されて、ミラーリングして使用されることがある。
【００２１】
装置が管理ノード２２０として分類されるかどうかは、機能によって決まる。管理ノード２２０の主な機能は、画像キャンペーンの送出時期の決定、周波数の選択、ＲＦ送信機の選択、適切なプロトコルと技術に準拠するデータのコード化、対象となる装置の明示（例えば、通し番号、ロット番号、位置、人口統計情報、サイコグラフィックスに関連する情報、メタデータ・パラメタによって）、フィードバック・ループによる実際のＲＦ信号送出の確認と監査(第３者の監査を含む) 、詳細報告の提示、可用度または他の評価基準（例えば、オークション）に基づく動的な価格設定、第三者のソフトウェア統合用のアプリケーションの結合、および、加入者(ソース)と消費者(遠隔装置のユーザ)のウェブ・インタフェースの維持である。また、管理ノード２２０は、マーケット・リーダー（例えば、電子機器回路の販売や、ＲＦ信号の放送における)との提携、ならびにラジオ放送局からの特定、および非特定の放送情報の受信、維持、および適合を担当する。放送のスケジューリングと周波数の選択は、管理ノード２２０の機能であるので、放送のスケジューリングおよび周波数の選択を行う装置は、位置などの他の要素にかかわらず、定義により管理ノードである。例えば、地方の放送局において周波数を選択する装置は、管理ノード２２０である。
【００２２】
好ましくは、ＲＦ送信機２９０は、特定の放送情報２１５を管理ノード２２０に送信したラジオ放送局２１０によって動作する。他のそれほど好ましくはない実施形態では、ＲＦ送信機はラジオ放送局から独立していることがあり、また、画像キャンペーンを送信し、必要に応じてコード化するためだけにＲＦ送信機を採用することがある。画像／音声キャンペーンは、管理ノード２２０、またはＲＦ送信機を含む他のいくつかの事業主体によってラジオ放送のためにコード化されることがある。そのような送信機では、ＡＭ放送帯域、ＦＭ放送帯域、テレビ放送帯域（北米地域のテレビ方式ＮＴＳＣおよびＤＴＶ、他のいくつかの国におけるテレビ方式ＰＡＬおよびＤＶＢ）、セルラ方式無線通信帯域／ＰＣＳ（米国版移動通信システムＰｅｒｓｏｎａｌ  Ｃｏｍｍｕｎｉｃａｔｉｏｎ  Ｓｙｓｔｅｍ）帯域および衛星放送帯域のいずれかによって無線信号を放送することができると考えられる。したがって、主副の両搬送波チャネルを利用してデータを送信することが予想される。
【００２３】
好ましい装置２９５は、ＲＢＤＳ、ＲＤＳ、および／またはＤＡＲＣの各機能が有効なカー・ステレオである。また、上述の装置は、電波によって放送される画像／音声キャンペーンの受信が可能であれば他の適切な技術によっても可能であることがある。カー・ステレオのほかに考えられる装置を非包括的なリストとして以下に示すと、移動式テレマティックス機器、携帯情報端末（Ｐｅｒｓｏｎａｌ  Ｄｉｇｉｔａｌ  Ａｓｓｉｓｔａｎｃｅ）、携帯電話、衛星利用測位システム（Ｇｌｏｂａｌ  Ｐｏｓｉｔｉｏｎｉｎｇ  Ｓｙｓｔｅｍ）、公共交通機関のディスプレイ、歩行者専用の商店街のディスプレイ(例えば、キオスクの)、空港のディスプレイ、娯楽場のディスプレイ、スポーツ・イベント時のディスプレイ、街路の家具(例えば、バス停のベンチ)、テレビゲーム、テレビ受像機、および携帯型音響機器（例えば、ウォークマン（登録商標）、ＭＰ３プレーヤー)となる。
【００２４】
装置２９５に関しては、一般的には、ディスプレイ（図示せず）を装置２９５に結合すると考えられる。ディスプレイの１つの例は、ラジオの前面にある液晶表示装置である。本明細書では、ディスプレイのサイズは１つの制限項目とは考えられていないが、しかしながら、好まれるディスプレイのサイズは、高さ約１．３ｃｍ（０．５インチ）長さ約５．１ｃｍ（２インチ）にすぎない。また、ディスプレイに表示される情報（すなわち、画像／音声キャンペーン）を表示画面上でスクロールしたり、またはページ単位で表示・移動したりすることがある。さらに考えられることは、画像／音声キャンペーンを利用して衛星利用測位システム、または他の補足システムを得ることである。道路交通情報を含む画像／音声キャンペーンを考察されたい。道路交通情報を検討して回り道を計画することのできる衛星利用測位システムを得るために、必要に応じて道路交通情報を使用することがある。この概念を拡張すると、道路閉鎖に関連する輸送部の情報が含まれることとなる。
【００２５】
好ましいと分類される実施形態では、ユーザは、画像／音声キャンペーンおよび／またはその部分、部分を記憶する選択もできる。この記憶操作の選択を、ステアリング・ホイール上にあるボタンを押すことによって、または「記憶」という音声コマンドなどの他の適切な方法によって実現することがある。この機能は、キャンペーン情報を保持しておきたい自動車のドライバーには特に役に立つ。
【００２６】
装置２９５は、ボタン、または画像／音声キャンペーンの受信機能を有効／無効にする他の方法を有することがある。さらに画像／音声キャンペーンの主題が、前払い金を要求する購読予約申し込みであることがある。また、アクセス・パラメタ（図示せず）を使用して、装置２９５が放送通信情報を受信するかどうかを制御することがある。アクセス・パラメタを利用する実施形態では、ユーザは、一般に遠隔装置内にあるアクセス・パラメタの設定要求をユーザが提出することがある。そのような要求は、通常管理ノード２２０に提出される。したがって、放送通信情報には、遠隔装置２９５固有の識別子（例えば、通し番号、ＶＩＮ）が含まれることがある。また、遠隔装置２９５は、アクセス・パラメタ値の関数として通信情報を受信することがある。本例では、単一の遠隔装置を対象としているが、いかなる要求もアクセス・パラメタが単一の遠隔装置のみによって機能することを暗示するべきではない。そして、実際には、通信情報は、いろいろな通し番号、またはロット番号を対象とすることがある。
【００２７】
別の態様によれば、通信が成功する確率を大きくするために重複しうる放送が含まれる。例えば、単一の装置が、１つ以上のＲＦ送信機２９５の到達範囲内にあり、したがって、到達範囲内にある送信機各々が、「重複」送信を行うことがある。これは、１つの送信機２９５が不調になるか、または干渉の問題が生じたとき、特に役立つことがある。
【００２８】
確認サーバ２９８がＲＦ通信を確認する情報を探知することがあり、その情報には、装置がＲＦデータを受信したことに対応した他の有益な情報とともに、受信通知、受信日付および時間が含まれることがある。通信できないということは、遠隔装置が作動していないか、または、地理的にＲＦ送信機の信号到達範囲内にもはや位置していないことを意味していることがある。
【００２９】
図２は、特定の例を参照すると容易に理解されることがある。南カリフォルニアのラジオ放送局であるＫＩＩＳは、プレイ・リストを管理ノードに送る。そのプレイ・リストには、Ｂｒｉｔｔａｎｙ  Ｓｐｅａｒｓの歌が含まれている。管理ノードは、文字列「Ｂｒｉｔｔａｎｙ  Ｓｐｅａｒｓ」と非特定の放送情報とを比較する。コンサート開催の日付を含むファイル内の１つの項目と多分マッチングする。管理ノードは、マッチングした情報を取り込んで、「６月２２日にＳｔａｐｌｅｓでＢｒｉｔｔａｎｙ  Ｓｐｅａｒｓに会いましょう」というメッセージを含む画像／音声キャンペーンを作る。このメッセージは、管理ノードが作成する送出スケジュールに従って複数のＲＦ送信機に送出される画像キャンペーンの一部になる。ＲＦ送信機は、キャンペーンを副搬送波周波数を利用して装置に送出する。別の実施形態では、画像／音声キャンペーンが、「やあ、こんにちは。Ｂｒｉｔｔａｎｙです。私の歌を聴いてくれてありがとう。」という可聴データを含むことがある。
【００３０】
別の例では、Ｂｒｉｔｔａｎｙの車のドライバーは、ダッシュボード内に取り付けられたステレオのＲＢＤＳ機能を有効にしている。ラジオ放送局は、特定の放送情報に対する要求に応じて、そのような情報を管理ノードに送る。本例では、ラジオ放送局Ａが、以下の特定の放送情報「株式レポート午前１０時３０分」を送ることがあり、また、ラジオ放送局Ｂが、以下の特定の放送情報「株式レポート午前１１時」を送ることがある。特定の放送情報を使用して、管理ノードが、「Ｍｉｃｒｏｓｏｆｔ  ｕｐ  ６  ｐｏｉｎｔｓ.」という非特定の放送情報とマッチングすることがある。次に、管理ノードは画像／音声キャンペーンを作成することがあり、そのキャンペーンでは、放送局Ａに同調をとった装置には午前１０時３０分に、また、放送局Ｂに同調をとった装置には午前１１時に「Ｍｉｃｒｏｓｏｆｔ  ｕｐ  ６」というメッセージが表示される。画像／音声キャンペーンの送信には、副搬送波周波数を利用することがあり、望ましくは、情報が一次周波数で放送されている間に該送信が行われるであろう。
【００３１】
このように、無線周波通信のダイナミック生成、選択、およびスケジューリングに関する特定の実施形態とアプリケーションが開示された。しかしながら、本明細書内の本発明の趣旨から逸れることなく上述の変更のほかにさらに多くの変更が可能であることは当業者にとっては明らかである。したがって、本発明の主題内容は、添付の請求項の趣旨のみに制限される。さらに、仕様と請求項両者の解釈にあたっては、すべての用語を文脈とマッチングする範囲で出来るだけ広く解釈するべきである。特に、「含む」および「含んでいる」という用語は、素子、構成部品、またはステップを参照して非排他的に、参照された素子、構成部品、またはステップが、明白には参照されていない他の素子、構成部品、またはステップとともに存在する、利用される、または組み合わされることを示すように解釈されるべきである。
【図面の簡単な説明】
【００３２】
【図１】画像データをラジオに送出する従来技術によるシステムの概要を示す図である。
【図２】管理ノードが特定および非特定の放送情報を受信する実施形態の概要を示す図である。
【符号の説明】
【００３３】
２２０  管理ノード
２９０  副搬送波周波数
２９５  カー・ラジオ
２００  システム
２３０  株式市況
２１５  特定の放送情報
【図１】
2006502606.tif 000003
【図２】
2006502606.tif 000004
【国際調査報告】
2006502606.tif 000005